(57)【要約】【課題】  グリップ力の向上を図ることができるとともに、長時間の歩行や、乾燥面および湿潤面での歩行の安定性の向上を図る。【解決手段】グリップポイント部２２は、ＪＩＳ  Ｋ６２５３：１９９７で規定されるタイプＡデュロメータによって測定した硬度が８５度未満であり、前端島部１５および後端島部１６の硬度は、グリップポイント部２２の硬度よりも低く、中盤島部２０の硬度は、前端島部１５および後端島部１６の硬度より低く、ベース部２４の硬度は、グリップポイント部２２の硬度よりも高い。【選択図】      図１
2015077206.tif 000002
【特許請求の範囲】
【請求項１】
アウトソールを有する靴底であって、
前記アウトソールの底面における前端部分に設けられ、複数の突起を有する前端島部と、
前記底面における後端部分に設けられ、複数の突起を有する後端島部と、
前記底面の爪先部、踏み付け部における前記前端島部の配置位置を除く部分、および前記底面の踵部における前記後端島部の配置位置を除く部分に設けられ、複数の突起を有する中盤島部と、
少なくとも前記前端島部、前記後端島部、前記中盤島部のいずれかに部分的に設けられ、ＪＩＳ  Ｋ６２５３：１９９７で規定されるタイプＡデュロメータによって測定した硬度が８５度以下である複数の突起を有するグリップポイント部と、
前記底面における前記前端島部、前記後端島部、前記中盤島部を除くベース部とを有し、
前記前端島部および前記後端島部の硬度は、前記グリップポイント部の硬度よりも低く、
前記中盤島部の硬度は、前記前端島部および前記後端島部の硬度より低く、
前記ベース部の硬度は、前記グリップポイント部の硬度よりも高いことを特徴とする靴底。
【請求項２】
ＪＩＳ  Ｋ６２５３：１９９７で規定されるタイプＡデュロメータによって測定した硬度が、
前記前端島部および前記後端島部は、６０〜８０度、
前記中盤島部は、５５〜７５度、
前記グリップポイント部は、６５〜８５度、
前記ベース部は、７５〜９５度
であることを特徴とする請求項１に記載の靴底。
【請求項３】
ＪＩＳ  Ｋ６２５３：１９９７で規定されるタイプＡデュロメータによって測定した硬度が、
前記前端島部および前記後端島部は、６５〜７５度、
前記中盤島部は、６０〜７０度、
前記グリップポイント部は、７０〜８０度、
前記ベース部は、８０〜９０度
であることを特徴とする請求項１に記載の靴底。
【請求項４】
前記グリップポイント部が、前記前端島部、前記後端島部、前記中盤島部と、一体成形されていることを特徴とする請求項１〜請求項３のいずれかに記載の靴底。
【請求項５】
前記底面の周縁に配置された前記ベース部に、前記底面から下方向かつ周方向に広がって傾斜する周縁突起が設けられていることを特徴とする請求項１〜請求項４のいずれかに記載の靴底。
【請求項６】
前記ベース部における土踏まず部および前記土踏まず部に、前側から後側に尖るＶ字状の凹部が設けられていることを特徴とする請求項１〜請求項５のいずれかに記載の靴底。
【請求項７】
前記底面の外縁部分に至るように配置された前記中盤島部の前記外縁部分に、前記外縁に沿って長い形状の外縁突起が設けられていることを特徴とする請求項１〜請求項６のいずれかに記載の靴底。
【請求項８】
ミッドソールを有しており、前記アウトソールとミッドソールとの間に、ハニカム形状の芯材が配置されていることを特徴とする請求項１〜請求項７のいずれか１項に記載の靴底。
【請求項９】
請求項１〜請求項８のいずれか１項に記載の靴底を装着したことを特徴とする靴。
【発明の詳細な説明】
【技術分野】
【０００１】
本発明は、ゴルフシューズに好適に使用される靴底およびこの靴底を用いた靴に関する。
【背景技術】
【０００２】
従来、ゴルフシューズとしてスパイクシューズとスパイクレスシューズが知られている。スパイクシューズは、グリップ力が高いという利点を有する一方、スパイクレスシューズと比べて歩行時等に足裏への突き上げがあるため歩行時の安定性が悪いという問題を有していた。また、スパイクレスシューズは、靴底の接地面が平面に近く、突き上げが少ないため、歩行の安定性が高く、さらに、スイング時の安定性も高い一方、グリップ力がスパイクシューズと比較して低いという問題を有していた。
【０００３】
そこで、グリップ力および歩行の安定性を向上させることを目的としたゴルフシューズとして、所定の硬度の複数の硬質突起と複数の軟質突起とを混在させて形成し、硬質突起を、円板部材の周囲に複数の小突起を等間隔に配置したねじ込み構造とする靴底を有するゴルフシューズが提案されている（特許文献１）。また、所定の高硬度部と低硬度部を有する靴底を有するスポーツシューズが、グリップ力および屈曲性を高めることを目的として提案されている（特許文献２）。
【先行技術文献】
【特許文献】
【０００４】
【特許文献１】特開２００２−１７７００２号公報
【特許文献２】特開２００１−３１４２０３号公報
【発明の概要】
【発明が解決しようとする課題】
【０００５】
しかしながら、特許文献１に記載の靴底は、各突起の硬度のみを設定するものであり、アウトソールの底面全体での硬度を調整することができないため、ゴルフのような長時間歩行する場合や、乾燥面および湿潤面での歩行の安定性の向上、さらにカートの乗降時や硬い路面等でのグリップ力の向上を図ることができなかった。また、特許文献１に記載の靴底には、軟質突起のみならず硬質突起（スパイク）が硬度ショアＤ３５〜８０となるように形成されているが、硬質突起の硬度を調整したとしても硬質突起があること自体で依然歩行時の安定性が悪いという問題を有していた。
【０００６】
また、特許文献２に記載の靴底は、高硬度部と低硬度部とがアウトソールの底面において交互に配置されてグリップ力と屈曲性の向上の両立を図っているが、このような配置では長時間の歩行や乾燥面および湿潤面での歩行の安定性の向上を図ることは困難であり、カートの乗降時や硬い路面の歩行時等におけるグリップ力の向上を図ることはできなかった。さらに、前述のような特許文献２に記載の靴底の構成では、スイングの安定性を全く考慮していないため、ゴルフのプレイの際におけるスイングの安定性を図ることはできなかった。
【０００７】
本発明は、上述した事情に鑑みてなされたものであり、グリップ力のさらなる向上を図ることができるとともに、長時間の歩行や、乾燥面および湿潤面での歩行の安定性の向上を図ることができ、さらにゴルフの際におけるスイングの安定性を図ることができる靴底およびこの靴底を用いた靴を提供することを目的とする。
【課題を解決するための手段】
【０００８】
本発明は、上記知見に基づいてなされたもので、下記（１）〜（９）に示す靴底およびこの靴底を用いた靴を提供する。
（１）  アウトソールを有する靴底であって、前記アウトソールの底面における前端部分に設けられ、複数の突起を有する前端島部と、前記底面における後端部分に設けられ、複数の突起を有する後端島部と、前記底面の爪先部、踏み付け部における前記前端島部の配置位置を除く部分、前記底面の踵部における前記後端島部の配置位置を除く部分に設けられ、複数の突起を有する中盤島部と、少なくとも前記前端島部、前記後端島部、前記中盤島部のいずれかに部分的に設けられ、ＪＩＳ  Ｋ６２５３：１９９７で規定されるタイプＡデュロメータによって測定した硬度が８５度以下である複数の突起を有するグリップポイント部と、前記底面における前記前端島部、前記後端島部、前記中盤島部を除くベース部とを有し、前記前端島部および前記後端島部の硬度は、前記グリップポイント部の硬度よりも低く、前記中盤島部の硬度は、前記前端島部および前記後端島部の硬度より低く、前記ベース部の硬度は、前記グリップポイント部の硬度よりも高いことを特徴とする靴底。
（２）  ＪＩＳ  Ｋ６２５３：１９９７で規定されるタイプＡデュロメータによって測定した硬度が、前記前端島部および前記後端島部は、６０〜８０度、前記中盤島部は、５５〜７５度、前記グリップポイント部は、６５〜８５度、前記ベース部は、７５〜９５度であることを特徴とする（１）に記載の靴底。
（３）  ＪＩＳ  Ｋ６２５３：１９９７で規定されるタイプＡデュロメータによって測定した硬度が、前記前端島部および前記後端島部は、６５〜７５度、
前記中盤島部は、６０〜７０度、前記グリップポイント部は、７０〜８０度、
前記ベース部は、８０〜９０度であることを特徴とする（１）に記載の靴底。
（４）  前記グリップポイント部が、前記前端島部、前記後端島部、前記中盤島部と、一体成形されていることを特徴とする（１）〜（３）のいずれかに記載の靴底。
（５）  前記底面の周縁に配置された前記ベース部に、前記底面から下方向かつ周方向に広がって傾斜する周縁突起が設けられていることを特徴とする（１）〜（４）のいずれかに記載の靴底。
（６）  ベース部における土踏まず部に、前側から後側に尖るＶ字状の凹部が設けられていることを特徴とする（１）〜（５）のいずれかに記載の靴底。
（７）  前記底面の外縁部分に至るように配置された前記中盤島部の前記外縁部分に、前記外縁に沿って長い形状の外縁突起が設けられていることを特徴とする（１）〜（６）のいずれかに記載の靴底。
（８）  ミッドソールを有しており、アウトソールとミッドソールとの間に、ハニカム形状の芯材が配置されていることを特徴とする（１）〜（７）のいずれかに記載の靴底。
（９）  （１）〜（８）のいずれかに記載の靴底を装着したことを特徴とする靴。
【０００９】
本発明においては、靴底およびこの靴底を用いた靴の前端島部、後端島部、中盤島部、グリップポイント部およびベース部の配置位置および硬度関係を前記（１）のように設定することにより、前端島部、後端島部、中盤島部およびグリップポイント部に設けられた突起を、例えば芝や土等の乾燥面および湿潤面に適当に突き刺させ、芝にからみつかせることができるとともに、硬質な突起があることによる突き上げを減少させることができる。また、本発明によれば、グリップポイント部よりも硬度の高いベース部を有することにより、靴底全体が適度に屈曲しに容易にねじれてしまうことを防止することができる。
【００１０】
また、靴底およびこの靴底を用いた靴の前端島部、後端島部、中盤島部、グリップポイント部およびベース部の硬度を前記（２）さらに好ましくは（３）のように設定することにより、乾燥面および湿潤面での歩行の安定性の向上、さらにカート乗降時や硬い路面等での靴底のグリップ力を向上を図ることができる。
【００１１】
また、前記グリップポイント部を、前記前端島部、前記後端島部、前記中盤島部と一体成形することにより、本発明に係る靴底を用いた靴をスパイクレスとし、歩行時等における足裏への突き上げがなく、歩行の安定性を向上させることができる。ここで、本発明において「一体成形」とは、例えば各島部と別工程によって形成されたスパイク等の部材を、島部に取り外し自在に取り付けることを除くだけでなく、接着材等によって島部に取り付けて一体化させる等の別工程において形成された部材を一体化させることも除く趣旨である。
【００１２】
また、本発明の周縁突起により、靴底のグリップ力をさらに向上させることができる。
【００１３】
さらに、本発明の凹部により、靴底全体が容易にねじれてしまうことを防止することができる。
【００１４】
さらにまた、本発明の外縁突起により、靴底のグリップ力をさらに向上させることができ、ゴルフにおけるスイング時の安定性を高めることができる。
【００１５】
また、本発明の芯材を配置することにより、靴底全体をしなやかに曲げることができ、これにより、歩行やゴルフにおけるスイング時の安定性を高めることができるとともに、靴底の剛性を高めることができる。
【発明の効果】
【００１６】
本発明に係る靴底およびこの靴底を用いた靴によれば、前述の作用により、グリップ力の向上を図ることができるとともに、長時間の歩行や、乾燥面および湿潤面での歩行の安定性の向上を図ることができ、さらにゴルフの際におけるスイングの安定性を図ることができる。
【図面の簡単な説明】
【００１７】
【図１】本発明の靴底の一実施形態を示す底面図である。
【発明を実施するための形態】
【００１８】
以下、本発明に係る靴底の一実施形態を図１を参照して説明する。
【００１９】
本発明において、爪先側を前側、踵側を後側、親指側を内側、小指側を外側として説明する。また、本発明においては、靴底を前端から後端にかけて、爪先部、踏み付け部、土踏まず部および踵部と区分し、足裏の指に相当する部分を爪先部、アーチ形状の部分およびその外側部分を土踏まず部、爪先部と土踏まず部の間を踏み付け部、土踏まず部の後方を踵部として説明する。
【００２０】
図１は、本発明に係る靴底の一実施形態を示す底面図であり、図１に示すように、本実施形態に係る靴底１は、アウトソール１１とミッドソール１２とからなる。
【００２１】
アウトソール１１の底面における前端部分には、複数の突起１５ａを有する前端島部１５が設けられている。前端島部１５は、ＪＩＳ  Ｋ６２５３：１９９７で規定されているタイプＡデュロメータによって測定した硬度（以下、本実施形態においてＪＩＳ−Ａ硬度という。）が６０〜８０度、好ましくは６５〜７５度、さらに好ましくは６７〜７３度となるように形成されるとよい。前端島部１５の構成材料の具体例としては、クマロン樹脂が配合されて面グリップ性が向上したゴム組成物等が挙げられる。
【００２２】
また、本実施形態においては、前端島部１５に形成された各突起１５ａは、円錐や三角形の一角が曲線からなる形状の錐の尖鋭部分が切り取られた形状とされている。
【００２３】
底面における後端部分には、複数の突起１６ａを有する後端島部１６が設けられている。後端島部１６は、前端島部１５と同様に、ＪＩＳ−Ａ硬度が６０〜８０度、好ましくは６５〜７５度、さらに好ましくは６７〜７３度となるように形成されるとよい。ここで、前端島部１５および後端島部１６は、同一の硬度によって形成されてもよく、また違う硬度によって形成されてもよい。後端島部１６の構成材料の具体例としては、クマロン樹脂が配合されて面グリップ性が向上したゴム組成物が挙げられる。
【００２４】
前端島部１５および後端島部１６をこのような構成によって形成することにより、乾燥面および湿潤面での歩行の安定性の向上、さらにカート乗降時や硬い路面等での靴底１のグリップ力の向上を図ることができる。
【００２５】
本実施形態においては、後端島部１６に形成された各突起１６ａは、円錐や三角形の一角が曲線からなる形状の錐の尖鋭部分が切り取られた形状とされている。
【００２６】
底面の爪先部１７および踏み付け部１８における前端島部１５の配置位置を除く部分、および底面の踵部１９における後端島部１６の配置位置を除く部分には、中盤島部２０が設けられている。本実施形態においては、底面の爪先部１７および踏み付け部１８における前端島部１５の配置位置を除く部分のうち、内外方向における中央部分よりも内側部分に第１中盤島部２０Ａと、前記中央部分よりも外側に第２中盤島部２０Ｂとが設けられており、第１中盤島部２０Ａおよび第２中盤島部２０Ｂは、土踏まず部の一部に至るように配置されている。また、底面の踵部１９における後端島部１６の配置位置を除く部分に第３中盤島部２０Ｃが設けられている。第１中盤島部２０Ａおよび第２中盤島部２０Ｂは、前端島部１５から離間して配置されており、第３中盤島部２０Ｃは、後端島部１６と隣接して配置されている。
【００２７】
各中盤島部２０の硬度は、前端島部１５および後端島部１６の硬度よりも低く形成されており、この条件下において、ＪＩＳ−Ａ硬度が５５〜７５度、好ましくは６０〜７０度、さらに好ましくは６２〜６８度となるように形成されるとよい。なお、本実施形態のように靴底１０に複数の中盤島部２０を設ける場合、各中盤島部２０は同一の硬度により形成されていてもよいし、また前述の条件の範囲内において異なる硬度によって形成されていてもよい。中盤島部２０の構成材料の具体例としては、シリカの配合量が比較的少ないゴム組成物等が挙げられる。
【００２８】
中盤島部２０をこのような構成によって形成することにより、変形に対する耐久性を向上させることができる。
【００２９】
中盤島部２０に形成された各突起２０ａは、三角錐や円錐の尖鋭部分が切り取られた形状とし、各突起２０ａを細く形成するとよい。これにより、ゴルフの際に各突起２０ａを芝にからみつきやすくすることができ、これにより湿潤面でのグリップ力の向上を図ることができる。
【００３０】
前端島部１５、後端島部１６、中盤島部２０の少なくともいずれかには、複数の突起２２ａを有するグリップポイント部２２が部分的に設けられている。本実施形態においては、前端島部１５、第１〜第３中盤島部２０にそれぞれグリップポイント部２２が設けられている。前端島部１５および後端島部１６の硬度は、このグリップポイント部２２の硬度よりも低く設定されているとともに、グリップポイント部２２は、ＪＩＳ−Ａ硬度が８５度以下となるように形成されている。この条件下において、グリップポイント部２２は、ＪＩＳ−Ａ硬度が６５〜８５度、好ましくは７０〜８０度、さらに好ましくは７２〜７８度となるように形成されている。なお、本実施形態のように靴底１０に複数のグリップポイント部２２を設ける場合、各グリップポイント部２２は同一の硬度により形成されていてもよいし、また前述の条件の範囲内において異なる硬度によって形成されていてもよい。グリップポイント部２２の具体例としては、シリカの配合量が例えば中盤島部２０より多いゴム組成物等が挙げられる。
【００３１】
グリップポイント部２２をこのような構成によって形成することにより、グリップ力を向上させることができるとともに、硬質な突起があることによる突き上げを減少させて、歩行の安定性を向上させることができる。
【００３２】
また、グリップポイント部２２は、前端島部１５、後端島部１６、中盤島部２０と一体成形されている。ここで「一体成形」とは、前端島部１５等と別の工程によって形成されたスパイク等の部材を、前端島部１５等に取り外し自在に取り付けることを除くだけでなく、接着材等によって前端島部１５等に取り付けて一体化させる等の別工程において形成された部材を一体化させることも除く趣旨である。これにより、本実施形態に係る靴底を用いた靴をスパイクレスとし、歩行時等における足裏への突き上げをなくして、歩行の安定性を向上させることができる。
【００３３】
本実施形態において、グリップポイント部２２は平面形状が円形状である。また、グリップポイント部２２の各突起２２ａは、変形三角錐の形状、および変形三角錐の尖鋭部分が切り取られ、接地面が小さく形成されている。また、各突起２２ａは、平面形状における三角形の一辺が円周に沿い、三角形の一点が円形状のグリップポイント部２２の中心部近傍に位置する形状に形成されている。これにより、グリップポイント部２２は、ゴルフの際に各突起２２ａが芝や土にほぼ点接触によって突き刺さり、さらにグリップ力の向上を図ることができる。
【００３４】
また、前端島部１５、後端島部１６、中盤島部２０およびグリップポイント部２２の各突起１５ａ、１６ａ、２０ａ、２２ａの高さ寸法を、ほぼ同様の高さ寸法に形成するとよい。これにより、靴底１の接地面をほぼ平面とすることができ、歩行の安定性をさらに高めることができるとともに、ゴルフの際のスイング時の安定性を高めることができる。
【００３５】
第２中盤島部２０Ｂおよび第３中盤島部２０Ｃは、底面の外縁部分に至るように配置されており、第２中盤島部２０Ｂおよび第３中盤島部の外縁部分には、平面形状が外縁に沿って長い形状の外縁突起２６が設けられている。本実施形態においては、第２中盤島部２０Ｂおよび第３中盤島部２０Ｃに、複数の外縁突起２６が前後方向に並列しながら外縁に沿って配置されている。外縁突起２６の具体例としては、シリカ配合のゴム組成物等が挙げられる。これにより、靴底１０のグリップ力、特に外側方向へのグリップ力の向上を図ることができ、ゴルフの際のスイング時の安定性をさらに高めることができる。
【００３６】
さらに、本実施形態においては、第３中盤島部に、内外方向に２列の外縁突起２６が設けられており、これにより、さらに靴底１０のグリップ力の向上を図ることができ、スイング時の安定性を高めることができる。
【００３７】
第３中盤島部２０Ｃの中央部分よりも少し内側には、前後方向に長い形状の中央突起２７が設けられている。本実施形態においては、第３中盤島部２０Ｃに、複数の外縁突起２６が前後方向に並列して配置されている。これにより、靴底１０のグリップ力のさらなる向上を図ることができ、ゴルフの際のスイング時の安定性を高めることができる。
【００３８】
アウトソール１１の底面における前端島部１５、後端島部１６、中盤島部２０を除く部分は、ベース部２４とされており、本実施形態においてベース部２４は、底面の周縁、前端島部１５と第１中盤島部２０Ａおよび第２中盤島部２０Ｂとの間、第１中盤島部２０Ａと第２中盤島部２０Ｂとの間および土踏まず部２３に配置されている。ベース部２４の硬度は、グリップポイント部２２の硬度よりも高く形成されており、この条件下において、ＪＩＳ−Ａ硬度が７５〜９５度、好ましくは８０〜９０度、さらに好ましくは８２〜８８度となるように形成されるとよい。ベース部２４の具体例としては、熱可塑性ポリウレタン等が挙げられる。
【００３９】
ベース部２４をこのような構成によって形成することにより、靴底１の全体が容易にねじれてしまうことを防止することができる。
【００４０】
アウトソール１１の底面における周縁に設けられたベース部２４には、底面から下方向かつ周方向に広がって傾斜する周縁突起２４ａが設けられている。これにより、靴底１のグリップ力をさらに向上させることができ、例えば、ゴルフの際のスイング時における安定性を高めることができる。
【００４１】
また、ベース部２４における土踏まず部２３および土踏まず部２３には、平面形状において前側から後側に尖るＶ字状の凹部２４ｂが設けられている。この構成により、靴底１の全体が容易にねじれてしまうことを防止することができる。
【００４２】
さらに、ベース部２４における前端島部１５と、第１中盤島部２０Ａ、第２中盤島部２０Ｂとの間、および第１中盤島部２０Ａと第２中盤島部２０Ｂとの間には、複数の突起２４ｃが設けられている。各突起２４ｃは、四角錐の尖鋭部分が切り取られた形状とされている。これにより、靴底１のグリップ力をさらに向上させることができる。
【００４３】
本実施形態において、ベース部２４は透明材料により形成されており、ベース部２４を介してミッドソール１２を視認することができる。ミッドソール１２は、樹脂発泡体により形成されている。
【００４４】
アウトソール１１とミッドソール１２との間には、ハニカム形状の芯材２５が配置されており、芯材２５の構成材料の具体例としては、炭素強化プラスチック、繊維強化プラスチック、熱可塑性ポリウレタン等が挙げられる。本実施形態において、芯材２５は、内外方向における中央部分に配置されている。この芯材２５により、靴底１の全体を前後方向および内外方向にしなやかに曲げることができ、歩行やゴルフにおけるスイング時の安定性を高めることができるとともに、靴底１の剛性を高めることができる。
【００４５】
そして、前述の靴底１を靴本体（図示せず）に装着することにより、本実施形態に係る靴底を用いた靴が製造される。
【００４６】
このように、本実施形態によれば、前端島部１５、後端島部１６、中盤島部２０、グリップポイント部２２、およびベース部２４の配置位置および硬度を設定することにより、前端島部１５、後端島部１６、中盤島部２０およびグリップポイント部２２に設けられた突起ａが、例えば芝や土等の乾燥面および湿潤面に適当に突き刺さり、芝にからみつくこととなるとともに、適度に屈曲し容易にねじれてしまうことを防止することができる。
【００４７】
したがって、本実施形態の靴底１によれば、アウトソール１１のグリップ力を向上させることができるとともに、長時間の歩行や、乾燥面および湿潤面における歩行の安定性の向上を図ることができる。また、本実施形態の靴底１によれば、適度の屈曲およびねじれの防止、さらにグリップ力の向上によって、ゴルフの際におけるスイングの安定性を図ることができる。また、本実施形態の靴底１によれば、スパイクシューズと比較してアウトソール１１の接地面が平面に近く、さらに靴底１の全体で曲がってその曲げ応力で反発するので、ゴルフの際には、スイング時における下半身のぶれをなくし、安定したショットを放つことができる。
【００４８】
なお、本発明は前記実施形態に限定されるものではなく、必要に応じて種々変更することが可能である。
【００４９】
例えば、本実施形態においては、グリップポイント部２２が、前端島部１５および中盤島部２０に設けられているが、本発明は、これに限定されるものではなく、グリップポイント部２２の配置場所は、諸条件を勘案して適宜決定される。すなわち、本発明において、グリップポイント部２２は、前端島部１５、後端島部１６、中盤島部２０のうちのいずれか１つに設けられていても、前端島部１５、後端島部１６、中盤島部２０の全てに設けられていても、前端島部１５および後端島部１６のみに設けられていても、さらには、中盤島部２０および後端島部１６のみに設けられていてもよい。また、本実施形態においては、第１中盤島部２０Ａ、第２中盤島部２０Ｂ、第３中盤島部２０Ｃの全てにグリップポイント部２２が設けられているが、これに限定されるものではなく、中盤島部２０にグリップポイント部２２を設ける場合であっても、必ずしも全ての中盤島部２０Ａ、２０Ｂ、２０Ｃに設ける必要はなく、少なくとも１つの中盤島部２０Ａ、２０Ｂ、２０Ｃに設ければよい。いずれの場合であっても、グリップポイント部２２は、ゴルフの際に各突起２２ａが芝や土にほぼ点接触によって突き刺さり、グリップ力の向上を図ることができる。
【００５０】
また、中盤島部２０の形状および数等も、本実施形態のものに限定されず、例えば、本実施形態における第１中盤島部２０Ａと第２中盤島部２０Ｂとを一体に形成してもよい。さらに、本実施形態において第１中盤島部２０Ａと第２中盤島部２０Ｂは、土踏まず部の一部に至るように配置されているが、必ずしも土踏まず部の一部に至るように配置されていなくてもよい。
【符号の説明】
【００５１】
１０  靴底
１１  アウトソール
１２  ミッドソール
１５  前端島部
１５ａ  突起
１６  後端島部
１６ａ  突起
１７  爪先部
１８  踏みつけ部
１９  踵部
２０  中盤島部
２０ａ  突起
２０Ａ  第１中盤突起
２０Ｂ  第２中盤突起
２０Ｃ  第３中盤突起
２２  グリップポイント部
２２ａ  突起
２３  土踏まず部
２４  ベース部
２４ａ  周縁突起
２４ｂ  凹部
２４ｃ  突起
２５  芯材
２６  外縁突起
２７  中央突起
【図１】
2015077206.tif 000003